(57)【要約】      （修正有）【課題】消費者が、一動作で簡単に開封でき、かつ、収納容器内の食品の安全を保障する機能も付加した陳列用食品収納容器の上蓋構造を提供する。【解決手段】陳列用食品収納容器上蓋部Ｂの特徴である、上蓋切裂きのためのメカニズムについて説明する。この切裂きミシン目様式処理は、食品受皿上部辺と接合する部位の３２と、切り裂きを開始する部位の３０に施され、３２と３０は図のように一点で接し、直交している。これに加えて３０を手際よく、左右に切り開くための取手部３１がある。該取手部３１を起点として、最初は３０に沿い、続いて上蓋円周方向に切裂き用ミシン目様式処理３２に沿って連続して切り裂かれ、上蓋部２０は容易に、食品受皿部より接合から開放される構造となる。【選択図】図５
0003145315.tif 000002
【実用新案登録請求の範囲】
【請求項１】
陳列用食品収納容器における、上蓋は開示を目的とし、透明性樹脂素材で造られ、上蓋辺部分の凹部が食品受皿上部辺の凸部を抱え込む形状により固定されるが、上蓋辺の定円周上に切裂き用ミシン目様式の切込み配列溝を施し、この配列溝に直角に接する、垂直方向に開封開始用の切り裂きを目的とするミシン目様式処理を施し、開封時の引張り力で切裂くことで、食品受皿部からの上蓋部脱着を容易とすることを特徴とする。
【請求項２】
請求項１の開封補助を目的とする切裂き用ミシン目様式の切込み配列溝は、未開封及び開封済みであることを容易に判別でき、収納容器内の食品に対する故意又は悪意の開封を防ぎ、食品の安全を保障する手段となることを特徴とする。
【考案の詳細な説明】
【技術分野】
【０００１】本考案は、コンビニエンスストア、スーパーにおける、弁当や惣菜などの食品収納陳列容器に関するものである。
【背景技術】
【０００２】従来、食品収納陳列容器の上蓋は容器内容物の開示を目的とし、透明性樹脂素材で造られ、上蓋は食品受皿から離れにくい形状構造となっており、開封を容易にするため、接合力は弱めに設定され、接合力不足と、未開封を保障する目的で、上蓋と食品受皿の接合後、複数本の接着テープが貼られるなど施されており、上蓋開封時に手数を要し、消費者からの苦情がある。
【考案の開示】
【考案が解決しようとする課題】
【０００３】陳列用食品収納容器の上蓋と食品受皿には、それぞれ接合を目的として、形状を凸凹処理し、咬み合わせる構造をもっているが、接合補助を目的とする、複数本の接着テープは上蓋と食品受皿との接合補助の他、未開封を保障するものの、開封時の手数には欠点がある。【０００４】一方、未開封を保障するには、接着テープは、悪意のある開封対策及び食品の安全保障対策には、脆弱であり、改善の余地がある。
【課題を解決するための手段】
【０００５】前記課題を解決するため、本考案に係る陳列用食品収納容器の上蓋の易開封を目的とする処理は、消費者が開封する際、一動作で上蓋を接がすことができ、しかも、上蓋が未開封か開封済みであるかを判別でき、収納容器内の食品に対する安全性を確保する方法も併せて獲得できた。
【考案の効果】
【０００６】本考案の効果により、コンビニエンスストア、スーパーにおける、弁当や惣菜などの陳列用食品収納容器は、消費者が一動作で簡便に開封でき、しかも、収納容器内の食品の安全を保障する機能を付加することが実現できた。
【考案を実施するための最良の形態】
【実施例】
【０００７】以下、本考案の実施形態につき、図を参照して説明すると、図１は現行市販されている、陳列用食品収納容器Ａの断面部であり、透明性樹脂素材の上蓋部１０、食品受皿部１２を示す例である。【０００８】また、陳列用食品収納容器Ａの上蓋部１０と食品受皿部１２の接合部分Ｘは、図２において拡大表示され、上蓋辺凹部分１０、食品受皿部１２、食品受皿凸部分１１の接合状態を示し、接合補助を目的とする接着用テープＹにより補強された接合部の例である。【０００９】本考案、陳列用食品収納容器の上蓋の易開封を目的とする処理は、図３において容器の断面部Ｂの透明性樹脂素材の上蓋部２０、食品受皿部２２を示し、接合部分Ｘ’は、図４において拡大表示され、上蓋辺凹部分２０、食品受皿部２２、食品受皿凸部分２１の接合状態を示し、現行市販されている上蓋辺凹部分１０の凹の構造を、より深い構造とし、外れ難い構造としている。【００１０】図５において、本考案における、陳列用食品収納容器上蓋部Ｂの特徴である、上蓋切裂きのためのメカニズムについて説明する。この切裂きミシン目様式処理は、食品受皿上部辺と接合する部位の３２と、切り裂きを開始する部位の３０に施され、３２と３０は図のように一点で接し、直交している。これに加えて３０を手際よく、左右に切り開くための取手部３１がある。【００１１】この左右に切り開くための取手部３１を起点として、最初は３０に沿い、続いて上蓋円周方向に切裂き用ミシン目様式処理３２に沿って連続して切り裂かれ、上蓋部２０は容易に、食品受皿部より接合から開放される構造となっている。
【産業上の利用可能性】
【００１２】本考案における、陳列用食品収納容器の上蓋の易開封処理の方法は、コンビニエンスストア、スーパーにおける、弁当や惣菜などの食品収納容器の他、菓子や内容物の保全を確保するとともに、食の安全性を担保し、消費者の開封時のわずらわしさを解消する等、幅広い応用、活用事例が検討される。
【図面の簡単な説明】
【００１３】
【図１】現行市販されている陳列用食品収納容器の断面図
【図２】現行市販されている陳列用食品収納容器の接合部拡大部分の断面図
【図３】本考案、陳列用食品収納容器の断面図
【図４】本考案、陳列用食品収納容器の接合部拡大部分の断面図
【図５】本考案、透明性樹脂素材の上蓋容器の斜視図
【符号の説明】
【００１４】Ａ    現行市販されている、陳列用食品収納容器の断面部
Ｂ    本考案、陳列用食品収納容器の上蓋の断面図
Ｘ    現行市販されている、陳列用食品収納容器の上蓋部と食品受皿部の接合部
Ｘ’  本考案、陳列用食品収納容器の上蓋部と食品受皿部の接合部
Ｙ    上蓋部と食品受皿部の接合補助を目的とする接着用テープ
１０  現行市販されている、陳列用食品収納容器の透明性樹脂素材の上蓋部
１１  現行市販されている、陳列用食品収納容器の上蓋部と食品受皿部の接合部分
１２  現行市販されている、陳列用食品収納容器の食品受皿部
２０  本考案、陳列用食品収納容器の透明性樹脂素材の上蓋部
２１  本考案、陳列用食品収納容器の上蓋部と食品受皿部の接合部分
２２  本考案、陳列用食品収納容器の食品受皿部
３０  本考案、切り裂きを開始する部位の切裂きミシン目様式処理
３１  本考案、左右に切り開くための取手部
３２  本考案、食品受皿上部辺と接合する部位の切裂きミシン目様式処理
【図１】
0003145315.tif 000003
【図２】
0003145315.tif 000004
【図３】
0003145315.tif 000005
【図４】
0003145315.tif 000006
【図５】
0003145315.tif 000007
【手続補正書】
【提出日】平成20年4月24日(2008.4.24)
【手続補正１】
【補正対象書類名】実用新案登録請求の範囲
【補正対象項目名】全文
【補正方法】変更
【補正の内容】
【実用新案登録請求の範囲】
【請求項１】
食品収納陳列容器における、上蓋は陳列容器内に収容された食品の開示を目的とし、透明性樹脂素材で造られ、上蓋部辺の凹状部位が食品受皿上部辺の凸状部位を抱え込む形状により、上蓋は、食品受皿にはめ込み固定されるが、上蓋辺の凹状部位に沿って、定円周上に切裂き用ミシン目様式の切込み用配列溝を施し、この配列溝に対して直角に接する、開封開始用の切り裂きを目的とするミシン目様の切込み処理を施し、開封時の引張り力で切裂くことで、食品収納陳列容器の食品受皿部から上蓋部の脱着開封を容易とすることを特徴とする。
【請求項２】
請求項１の食品収納陳列容器における、上蓋脱着開封を目的とする切裂き用ミシン目様の切込み配列溝は、未開封ないしは開封済みであるか否かを容易に判別でき、食品収納陳列容器内の食品に対する、故意又は悪意の開封を検証でき、食品収納陳列容器内食品の、安全を保障する手段となることを特徴とする。
【手続補正書】
【提出日】平成20年6月27日(2008.6.27)
【手続補正１】
【補正対象書類名】実用新案登録請求の範囲
【補正対象項目名】全文
【補正方法】変更
【補正の内容】
【実用新案登録請求の範囲】
【請求項１】
食品収納陳列容器における、上蓋は陳列容器内に収容された食品の開示を目的とし、透明性樹脂素材で造られ、上蓋部辺の凹状部位が食品受皿上部辺の凸状部位を抱え込む形状により、上蓋は、食品受皿にはめ込み固定されるが、上蓋辺の凹状部位に沿って、定円周上に切裂き用ミシン目様式の切込み用配列溝を施し、この配列溝に対して直角に接する、開封開始用の切り裂きを目的とするミシン目様の切込み処理を施し、開封時の引張り力で切裂くことで、食品収納陳列容器の食品受皿部から上蓋部の脱着開封を容易とすることを特徴とする食品収納陳列容器の上蓋部。
【請求項２】
請求項１の食品収納陳列容器における、上蓋脱着開封を目的とする切裂き用ミシン目様の切込み配列溝は、未開封ないしは開封済みであるか否かを容易に判別でき、食品収納陳列容器内の食品に対する、故意又は悪意の開封を検証でき、食品収納陳列容器内食品の、安全を保障する手段となることを特徴とする食品収納陳列容器の上蓋部。